(57)【要約】      （修正有）【課題】単一の機能キーを押すだけでファイルコピー又はCD-ROMコピーをスムーズに行うことができるキー操作方式CD-R/RWドライブを提供する。【解決手段】1台のCD-R/RWドライブ１６より構成され、CD-R/RWドライブ１６はパーソナルコンピュータ１に接続され、CD-R/RWドライブ１６に挿入されたCD-ROMのデータを再生するか、又はそのCD-ROMのファイルコピーもしくはCD-ROMコピーの作業を実行できる。CD-R/RWドライブ１６上に機能キー１６１１、１６１２及び１６１３を設ける。機能キー１６１１、１６１２及び１６１３は個々に電子制御回路１６３と接続される。機能キー１６１１、１６１２及び１６１３が押されたとき、電子制御回路１６３及びパーソナルコンピュータ１上の対応のソフトウエアを起動させ、CD-ROMコピーに必要な動作を実行し、ファイルコピー又はCD-ROMコピー作業を遂行する。【選択図】図１
0003109058.tif 000002
【実用新案登録請求の範囲】
【請求項１】
キー操作方式CD-R/RWドライブであって、１台のCD-R/RWドライブが設けられ、CD-R/RWドライブは１台のパーソナルコンピュータに接続され、CD-R/RWドライブに挿入されたCD-ROMのデータの再生、又はこのCD-ROMのファイルコピーもしくはCD-ROMコピー作業を提供し、、
CD-R/RWドライブには少なくとも一つの機能キーが設けられ、この機能キーはCD-R/RWドライブ上に設置され、
CD-R/RWドライブには一つの電子制御回路が設けられ、この電機制御回路に少なくとも一つの汎用入出力ポートが設置され、この汎用入出力ポートはそれぞれに対応した機能キーに接続され、機能キーが押されたとき、前記電子制御回路とパーソナルコンピュータに取り付けられたソフトウエアにより、CD-ROMコピーに必要な動作を実行し、ファイル又はCD-ROMコピー作業を完遂することを特徴とするキー操作方式CD-R/RWドライブ。
【請求項２】
電子制御回路は、いずれか一つの機能キーが押されたことを検出すると、対応のソフトウエアを駆動して、コピーファイルを入れるためのCD-ROM容器アイコンを画面の最上部に常駐させることを特徴とする請求項１記載のキー操作方式CD-R/RWドライブ。
【請求項３】
前記CD-ROM容器アイコンのファイルデータの合計数量がコピー可能な最大データの量になったとき、対応のソフトウエアを駆動して、モニター画面上に「ブランクディスクを入れてください」、「コピー終了」などの文字メッセージを表示し、利用者に誘導指示しながらファイルコピー作業を遂行させることを特徴とする請求項２記載のキー操作方式CD-R/RWドライブ。
【請求項４】
電子制御回路は他の機能キーが押されたことを検出すると、対応のソフトウエアを駆動して、パーソナルコンピュータ画面上に「ブランクディスクを入れてください」、「コピー終了」などの文字メッセージを表示し、利用者に誘導指示しながらファイルコピー作業を遂行させることを特徴とする請求項２記載のキー操作方式CD-R/RWドライブ。
【請求項５】
前記CD-ROM容器アイコン上又はその近くに一つのデータ容量計器が増設され、データ容量計器はCD-ROM容器アイコンに入れられたデータの容量を随時に表示可能であることを特徴とする請求項２記載のキー操作方式CD-R/RWドライブ。
【請求項６】
CD-R/RWドライブはパーソナルコンピュータに接続されて置かれ、パーソナルコンピュータにCD-R/RWドライブのデバイスドライバーが取り付けられた後、オペレーティングシステムにより、コピーファイルを入れるためのCD-ROM容器アイコンが画面の最上部に常駐することを特徴とする請求項１記載のキー操作方式CD-R/RWドライブ。
【請求項７】
電子制御回路は他の機能キーが押されたことを検出すると、対応のソフトウエアを駆動し、パーソナルコンピュータ画面上に「ブランクディスクを入れてください」、「コピー終了」などの文字メッセージを表示し、利用者に誘導指示しながらファイルコピー作業を遂行させることを特徴とする請求項６記載のキー操作方式CD-R/RWドライブ。
【請求項８】
前記CD-ROM容器アイコン上又はその近くに一つのデータ容量計器が増設され、このデータ容量計器によりCD-ROM容器アイコン内のデータ容量を随時に表示可能であることを特徴とする請求項６記載のキー操作方式CD-R/RWドライブ。
【請求項９】
もう一つの電子制御回路が他の機能キーが押されたことを検出すると、対応のソフトウエアを駆動し、パーソナルコンピュータ画面に「マザーディスクを入れてください」、「マザーディスクを取り出して、ブランクディスクを入れてください」、「コピー終了」などの簡潔なメッセージを表示し、利用者を誘導指示しながらCD-ROMのコピー作業を完遂させることを特徴とする請求項１記載のキー操作方式CD-R/RWドライブ。
【請求項１０】
CD-R/RWドライブは外付け方式で設置され、機能キーは外付けタイプCD-R/RWドライブのケーシング表面に取り付けられることを特徴とする請求項１記載のキー操作方式CD-R/RWドライブ。
【請求項１１】
CD-R/RWドライブは内蔵方式で設置され、機能キーは内蔵式CD-R/RWドライブのパネル上に取り付けられることを特徴とする請求項１記載のキー操作方式CD-R/RWドライブ。
【請求項１２】
CD-R/RWドライブは外付け方式で設置され、機能キーは外付けタイプCD-R/RWドライブのパネル上に取り付けられることを特徴とする請求項１記載のキー操作方式CD-R/RWドライブ。
【考案の詳細な説明】
【技術分野】
【０００１】
本考案は一種のCD-R/RWドライブに関し、特に一種のキー操作方式CD-R/RWドライブに関わるものであって、固有のCD-R/RWドライブで行われていた煩雑なコピー手順を有効に改善でき、パーソナルコンピュータ利用者が１台のCD-R/RWドライブ上に設置された単一の機能キーを押すだけで、CD-R/RWドライブはパーソナルコンピュータのディスプレイ画面上で、もっとも簡単に、かつ、親和性をもった方式でもって、利用者に誘導指示しながら、CD-ROMごとのコピー又はファイルコピー作業を迅速、かつ、スムーズに行うことができるキー操作方式CD-R/RWドライブに関する。
【背景技術】
【０００２】
現在、市販中の各種CD-R/RWドライブのうち、CD-R/W又はDVD-RWCD-ROMコピー専用機、もしくはパーソナルコンピュータの内蔵式CD-R/RWドライブ、あるいはパーソナルコンピュータケーシング外部に外付けされたCD-R/RWドライブについて、CD-R/RWドライブをあるパーソナルコンピュータに接続して、デバイスドライバーを取り付けても、このパーソナルコンピュータにコピー用のソフトウエアを取付ておかないと、コピーソフトウエアで提供されたコピー機能でもって、CD-R/RWドライブに挿入されたCD-ROMのファイルコピー、又はCD-R/RWドライブに挿入されたソースCD-ROMのコピー作業ができない。利用者はパーソナルコンピュータのファイルコピー、又はソースCD-ROMコピーを行うときに、取り付けられたコピーソフトウエアより提供された操業画面を切り換えて適切な機能オプションを正確に選択し、コピー又はディスクコピー作業を行うが、その過程は極めて煩わしい。また、一般の利用者にとっては、これを学ぶと使用に困難をきたす。現在、市販中でトップシェアのNeroコピーソフトウエアを一例として挙げると、利用者がパーソナルコンピュータのファイルコピー、又はソースCD-ROMコピーを行うとき、このNeroコピーソフトウエアをまず起動しなければならない。さらに、起動した後パーソナルコンピュータのモニター画面上に下記の機能オプション(ICON)を表示し、利用者の選択を促す。
【０００３】
[常用機能]、[データ]、[音楽]、[デジタル写真とムービー]、[コピーとバックアップ]、[アクセサリ]など...。
このとき、利用者が「常用機能」オプションを選択すると、モニター画面は下記の機能オプションに移る。
【０００４】
[データディスクの作成]、[音楽CDの作成]、[VCDの作成]、[CD-ROM快速コピー]など...。
そして、利用者が[CD-ROM快速コピー]機能オプションを選択してクリックすると、モニター画面は、下記の機能オプションに移る。
【０００５】
[ソースCD-ROM]、[コピー機]、[オプション]、[書込速度]、[コピー回数]、[設定]、[CD-ROMトラックの保存]、[CD-ROMの内容消去]、[CD-ROMのプロパーティー]、[カーバーデザイン]、[最大書込速度]、[シミュレート]、[書込]など...。
このように、利用者が機能オプションを選択してクリックするたびに、ディスプレイには次の層の画面が現れる。そして、各層に複数の機能オプションが含まれている。それぞれの機能オプションには、個々に対応したアイコンがある。その組合せ及び代表する意味は、Neroコピーソフトウエアに不慣れの利用者にとって、目まぐるしいものであり、従いようがない。よって、オプション機能を正確に実行するため、利用者は長い練習を強いられる。さらに、コンピュータをあまり使用しない利用者にとっては、練習過程で遭遇する馴染みのないコンピュータ用語を理解するために、より多くの精力及び時間を費やさなければならない。このため、途中で諦めることや、CD-R/RWドライブによるファイルコピー又はCD-ROMコピーの意欲を阻むことになりかねない。
【０００６】
そこで、CD-R/RWドライブに親和性を持たせながらより簡単に操作可能な環境を提供し、利用者がCD-R/RWドライブに取り付けられた単一の機能キーを押すことにより、CD-R/RWドライブを駆動して、ファイルコピー又はCD-ROMコピー、もしくはパーソナルコンピュータを介して、もっとも簡単、かつ、親和性を有する方式で利用者に誘導指示して、スムーズにCD-ROMコピー又はファイルコピー作業を実現できるCD-R/RWドライブが臨まれる。このような画期的な設計のCD-R/RWドライブは、一般の操作が簡単なカメラのようである。一般の操作が簡単なカメラでは、利用者は従来のカメラを使用するような絞り、シャッター及びフォーカスなどの事前調整作業を省くことができ、対象物に向かってボタンを押せば映像の撮影ができる。従って、利用者がCD-R/RWドライブに取り付けられた単一の機能キーを押すだけでファイルコピー又はCD-ROMコピーをスムーズに行うことができ、複雑な操作手順をCD-R/RWドライブ及びパーソナルコンピュータに任せることが、今後CD-R/RWドライブの設計及び製造者が達成すべき重要な設計目標である。
【考案の開示】
【考案が解決しようとする課題】
【０００７】
本考案の目的は、利用者が単一の機能キーを押すだけでファイルコピー又はCD-ROMコピーをスムーズに行うことができるキー操作方式CD-R/RWドライブを提供することにある。
【課題を解決するための手段】
【０００８】
前記のように、固有のCD-R/RWドライブのファイルコピー又はCD-ROMコピー作業に現れた欠点について、本考案の考案者が長期にわたる研究努力と実験を重ねた結果、本考案のキー操作方式CD-R/RWドライブを開発した。このCD-R/RWドライブには、１台のCD-R/RWドライブを設け、CD-R/RWドライブは１台のパーソナルコンピュータに接続されて、CD-R/RWドライブに挿入されたCD-ROM(CDとDVDなど)データの再生か、又はCD-ROMのファイルコピーもしくはCD-ROMコピー作業を提供できる。CD-R/RWドライブには少なくとも１個の機能キーを設け、この機能キーを電子制御回路とそれぞれに接続するため、機能キーが押されたとき、この電子制御回路及びパーソナルコンピュータに取り付けられた対応のソフトウエアを制御して、CD-ROMコピーに必要な動作を実行して、ファイルコピー又はCD-ROMコピー作業を完遂させ、利用者は単一の機能キーを押すだけで、ファイルコピー、又は一ソースCD-ROMとブランクCD-ROM間のコピー作業を簡単、かつ、スムーズに行うことができる。
【０００９】
本考案のキー操作方式CD-R/RWドライブは、固有の内蔵式又は外付けタイプCD-ROM機にロジック判断の電子制御回路が設けられ、この電子制御回路に少なくとも一つの汎用入出力ポート(GPIO port)を有する。この汎用入出力ポートは機能キーにそれぞれに接続して置き、機能キーが押されたことを検出したときに対応のソフトウエアを駆動して、パーソナルコンピュータのモニター画面にCD-ROM容器アイコンを生成して、モニター画面の最上部に常駐させる。利用者はファイルコピーするとき、必要なファイルを選択及びクリックして、このCD-ROM容器アイコンにドラッグすればよい。
【００１０】
本考案では、このCD-ROM容器アイコンに入れたコピー待ちのデータ合計量がコピー可能な最大データ量になったとき、又は電子制御回路が他の機能キーが押されことを検出したとき、対応のソフトウエアを駆動してモニター画面上に「ブランクディスクを入れてください」、「コピー終了」...などの文字メッセージをもっとも簡単な方式でもって表示し、利用者を誘導指示して、ファイルコピー作業を迅速、かつ、スムーズに完遂させる。
【００１１】
本考案では、電子制御回路は他のもう一つの機能キーが押されことを検出したとき、対応のソフトウエアを駆動してモニター画面上に「マザーディスクを入れてください」、「マザーディスクを取り出して、ブランクディスクを入れてください」、「コピー終了」...などなどの文字メッセージをもっとも簡単な方式でもって表示し、利用者を誘導指示して、ファイルコピー作業を迅速、かつ、スムーズに完遂させる。このように、利用者は新たなコピーソフトウエアの取付けや学習をすることなく、ディスクコピー作業に時間を費やして、模索する必要がない。
【００１２】
本考案では、モニター画面上にCD-ROM容器のアイコンを表示すると同時に、このCD-ROM容器アイコン又はその近くに一つのデータ容量計器を増設して、このデータ容量計器によりCD-ROM容器アイコン内のデータ容量を随時に表示できる。
【考案を実施するための最良の形態】
【００１３】
本考案の一実施例は一種のキー操作CD-R/RWドライブであり、図１に示す通り、このCD-R/RWドライブは1台のCD-R/RWドライブ１６より構成される。CD-R/RWドライブ１６はパーソナルコンピュータ１と接続することにより、CD-R/RWドライブ１６に挿入されたCD-ROM(CDとDVDなど)データを再生するほか、CD-R/RWドライブ１６に挿入されたCD-ROMのファイルコピー又はCD-ROMコピー作業を行うことができる。本考案のもっとも良い一実施例では図１に示す通り、CD-R/RWドライブ１６をパーソナルコンピュータケーシング外部の外付タイプCD-R/RWドライブに接続できる。ただし、本考案を応用するとき、これに限ることなく、CD-R/RWドライブ１６をパーソナルコンピュータケーシング内部に取付けて、内蔵式CD-R/RWドライブにもできる。CD-R/RWドライブ１６は一つのケーシングを有し、ケーシング内部にCD-ROMトレー１６４が設けられ、ケーシング前面にパネル１６５が設けられる。このパネル１６５上にCD-ROM出し入れスイッチ１６６を設けて、利用者のディスク出し入れのため、CD-ROMトレー１６４を繰り出し又は繰り戻す。さらに、このケーシング上に少なくとも一つの機能キー１６１１、１６１２及び１６１３を設け、ケーシング内部に電子制御回路１６３を設ける。この電子制御回路１６３上に少なくとも一つの汎用入出力ポート(GPIOport)を設置し、この汎用入出力ポートを機能キー１６１１、１６１２及び１６１３とそれぞれ接続し、機能キー１６１１、１６１２及び１６１３が押されたとき、電子制御回路１６３及びパーソナルコンピュータ１に取り付けられた対応のソフトウエアを起動し、CD-ROMコピー関連の作業をすべて実行し、ファイル又はCD-ROMコピー作業を完遂させるようにする。このように、利用者は機能キー１６１１、１６１２又は１６１３のいずれかを押すと極めて簡単、かつ、親和性を有する方式でもって、ファイルコピー、又は一ソースCD-ROMとブランクCD-ROM間のコピー作業をスムーズに行うことができる。本考案のその他の実施例において、CD-R/RWドライブ１６が内蔵式CD-R/RWドライブ構成のとき、機能キー１６１１、１６１２及び１６１３をパネル１６５上に取付けて、利用者の操作に提供する。
【００１４】
この最良の実施例において、図１、図２に示す通り、パーソナルコンピュータ１内部には少なくとも一つの中央演算装置１１、一つのメインメモリ１２、複数個のインターフェス１３及び一つの電源供給器１４が含まれる。中央演算装置１１は、パーソナルコンピュータ１内部の電子部品の正常動作を制御する。そして、メインメモリ１２は中央演算装置１１に接続され、データまたは演算過程のデータを保存する働きがある。インターフェス１３は中央演算装置１１及び周辺装置（CD-R/RWドライブ１６、一つのディスプレイ１７、一つのキーボード１８、一つのマウス１９及びコンピュータその他の周辺装置１５)とそれぞれ接続され、インターフェス切替え電気回路として設けられる。利用者がCD-R/RWドライブ１６の電子制御回路１６３をいずれかのインターフェス１３を介して、パーソナルコンピュータ１に導通させ、このパーソナルコンピュータ１にCD-R/RWドライブ１６のデバイスドライバーを取り付けると、中央演算装置１１はインターフェス１３を介して、CD-R/RWドライブ１６を制御できる。また、CD-R/RWドライブ１６はインターフェス１３を介して、パーソナルコンピュータ１の関連ソフトウエアを起動させ、関連操作ができる。
【００１５】
この最良の実施例において、利用者がメインメモリ１２(又はハードディスク)に保存していたファイルデータをCD-R/RWドライブ１６に挿入されたブランクCD-ROMにバックアップ又はコピーするとき、いずれかの環境設定キー１６１１を押すだけで、電子制御回路１６３を触発し対応のソフトウエアを駆動して、パーソナルコンピュータ１のオペレーティングシステムに「ファイルコピーを簡単に操作できる環境」を確立する。さらに、ディスプレイ１７の画面上にCD-ROM容器アイコンが表示され、ディスプレイ１７画面の最上部に常駐する。そして、利用者はコピーファイルするとき、必要なファイルを選択及びクリックし、CD-ROM容器アイコンにドラッグして置く。そして、CD-ROM容器アイコン内のコピー待ちのデータ合計量がコピーの最大データ量になったとき、又はCD-R/RWドライブ機能キー１６１２が押され、電子制御回路１６３が検出したとき、対応のソフトウエアを駆動し、ディスプレイ１７の画面上に「ブランクディスクを入れてください」、「コピー終了」...などの文字メッセージを表示し、もっとも簡単な方式でもって、利用者を誘導指示して、ファイルコピー作業を迅速、かつ、スムーズに完遂させる。この最良の実施例において、ディスプレイ１７の画面上にCD-ROM容器アイコンを表示すると同時に、CD-ROM容器アイコン又はその付近の場所にデータ容量計器を設けると、パーソナルコンピュータ１はこのデータ容量計器を通じて、CD-ROM容器アイコン内のコピー待ちデータの合計量を表示できる。さらに、利用者が一つのソースCD-ROMをまるごとコピーするとき、他のCD-R/RWドライブ機能キー１６１３を押して、電子制御回路１６３を触発し対応のソフトウエアを起動させると、ディスプレイ１７の画面上に「マザーディスクを入れてください」、「マザーディスクを取り出して、ブランクディスクを入れてください」、「コピー終了」...など簡易メッセージを表示し、親和性を有する方式でもって、利用者を誘導指示しながら、CD-ROMコピー作業をスムーズに完遂させる。このように、利用者は新たなコピーソフトウエアの取付けや学習をすることなく、コピー作業に時間を費やして模索する必要がない。
【００１６】
この最良の実施例において、パーソナルコンピュータ１が起動された後、中央演算装置１１はCD-R/RWドライブ１６の機能キー１６１１、１６１２又は１６１３が押されると信号を触発し、以下の制御や処理を行う。図３、図４を参照する。
(２００)中央演算装置１１はパーソナルコンピュータ１に取り付けられたオペレーティングシステムにより、一般的な作業を行う。
【００１７】
(２０１)利用者はこのパーソナルコンピュータ１に、シャットダウン指令が出されたかを検出する。YESのとき、シャットダウンモードに入る。NOのとき、以下の作業を行う。
(２０２)電子制御回路１６３よりトリガー信号を送信してきたかを判断する。トリガー信号は機能キー１６１１、１６１２又は１６１３のいずれが押されたかによって異なる。YESのとき、(２０３)の作業を行う。NOのとき、(２００)に戻り一般作業を実行する。
【００１８】
(２０３)CD-R/RWドライブ機能キー１６１２が押されて、トリガー信号の発信があるか否かを判断する。YESのとき、(２０４)の作業を続行する。NOのとき、(２１３)の作業を続行し、引き続き他の判断を行う。
(２０４)パーソナルコンピュータ１のオペレーティングシステムに「ファイルコピーを簡単に操作できる環境」が取り付けられているかを判断する。YESのとき、(２０５)の作業を続行する。NOのとき、(２００)の作業に戻って一般作業を実行する。
【００１９】
(２０５)CD-R/RWドライブ１６に挿入されたCD-ROMの残存スペースを検出し、ディスプレイ１７画面上のCD-ROM容器アイコンのコピー待ちデータに間に合うかを判断する。YESのとき、(２０６)の作業を続行する。NOのとき、ディスプレイ１７の画面上に「CD-ROM容量が不足している、CD-ROMを交換してください。」の文字メッセージを表示し、利用者がCD-ROMを交換した後、(２０５)の作業に戻って、CD-ROMの残存スペースを検出する。
【００２０】
(２０６)CD-R/RWドライブ１６を起動して、CD-ROM容器アイコン内のデータをCD-ROMにコピーする。
(２０７)CD-R/RWドライブ１６のコピー作業が終了しているかを検出する。YESのとき、ディスプレイ１７の画面上に「コピー終了」の文字メッセージを表示した後、(２００)の作業に戻って一般作業を実行する。NOのとき、(２０６)の作業に戻ってコピー作業を続行する。
【００２１】
(２１３)CD-R/RWドライブ機能キー１６１３が押されたときのトリガー信号を検出する。YESのとき、(２１４)の作業を続行する。NOのとき、(２２３)の作業を続行し、その後の指令判断を行う。
(２１４)CD-R/RWドライブ１６を操作し、CD-ROMトレー１６４を繰り出した後、ディスプレイ１７の画面上に「マザーディスクをCD-R/RWドライブに挿入してください。」の文字メッセージを表示して、(２１５)の作業を続行する。
【００２２】
(２１５)CD-R/RWドライブ１６にソースCD-ROMが挿入されているかを検出する。YESのとき、ソースCD-ROMのデータをパーソナルコンピュータ１のハードディスクにコピーして、引き続きに(２１６)の作業を実行する。NOのとき、ディスプレイ１７の画面上に「ソースCD-ROMをCD-R/RWドライブに挿入してください。」の文字メッセージを表示して、利用者にソースCD-ROMの挿入を促す。
【００２３】
(２１６)このソースCD-ROMのデータがハードディスクにコピーされたかを検出する。YESのとき、CD-R/RWドライブ１６を制御し、ソースCD-ROMが挿入されたCD-ROMトレー１６４を繰り出して、利用者がソースCD-ROMを取り出した後、ディスプレイ１７の画面上に「ブランクCD-ROMをCD-R/RWドライブに挿入してください。」の文字メッセージを表示して、利用者にブランクCD-ROMをCD-ROMトレー１６４に挿入することを要求し、(２１７)の作業を続行する。NOのとき、ソースCD-ROMのデータをハードディスクにコピーする作業を行う。
【００２４】
(２１７)CD-R/RWドライブ１６にブランクCD-ROMが挿入されているかを検出する。YESのとき、ディスクコピー機１６を起動して、ハードディスクにコピーされたソースCD-ROMのデータをブランクCD-ROMにコピーして、(２１８)の作業を続行する。NOのとき、引き続きディスプレイ１７の画面上に「ブランクCD-ROMをCD-R/RWドライブに挿入してください。」の文字メッセージを表示して、利用者にブランクCD-ROMの挿入を促す。
【００２５】
(２１８)ソースCD-ROMのデータがブランクCD-ROMにコピーされたかを検出する。YESのとき、ディスプレイ１７の画面上に「コピー完了しました。引き続きコピーしますか。」の文字メッセージを表示して、CD-R/RWドライブ１６を制御し、CD-ROMトレー１６４を繰り出して、利用者がコピー完了のCD-ROMを取り出した後、他のブランクCD-ROMを挿入すると、(２１９)の作業を続行する。NOのとき、ハードディスクにあるソースCD-ROMデータをCD-ROMへコピーする作業を引き続き行う。
【００２６】
(２１９)コピー作業が引き続き行われるかを判断する。YESのとき、(２１５)の作業を続行する。NOのとき、(２００)の作業に戻って、一般作業を引き続き実行する。
(２２３)いずれかの環境設定機能キー１６１１が押されトリガー信号の発信を検出する。YESのとき、(２２４)の作業を続行する。NOのとき、(２００)の作業に戻って一般作業を実行する。
【００２７】
(２２４)パーソナルコンピュータ１のオペレーティングシステムに「ファイルコピーを簡単に操作できる環境」が取り付けられたかを判断する。YESのとき、(２００)の作業に戻って一般作業を実行する。NOのとき、このパーソナルコンピュータ１のオペレーティングシステムに「ファイルコピーを簡単に操作できる環境」を取付けるように要求し、ディスプレイ１７の画面上にCD-ROM容器アイコンを表示する。
【００２８】
本考案のもう一つの最良の実施例において、利用者がCD-R/RWドライブ１６をパーソナルコンピュータ１に接続して、パーソナルコンピュータ１上にCD-R/RWドライブ１６のデバイスドライバーを取り付けると、そのオペレーティングシステム上に「ファイルコピーを簡単に操作できる環境」が構築される。そして、ディスプレイ１７の画面上においてCD-ROM容器アイコンを画面の最上部に常駐させ、利用者はコピーするファイルをここに入れることができる。このため、他の最良の実施例においては、CD-R/RWドライブ１６のケーシングに環境設定機能キー１６１１を設ける必要がなく、CD-R/RWドライブ機能キー１６１２及びCD-R/RWドライブ機能キー１６１３を設ければ良い。利用者がCD-ROM容器アイコン内のコピー待ちデータをCD-R/RWドライブ１６に挿入されたCD-ROMにコピーするとき、CD-R/RWドライブ機能キー１６１２を押すと、電子制御回路１６３は触発され制御信号を生成し、対応のソフトウエアを駆動することにより、CD-ROM容器アイコン内のコピー待ちデータをCD-ROMにコピーする。利用者がソースCD-ROMのコピーを行うとき、CD-R/RWドライブ機能キー１６１３を押すと、電子制御回路１６３は触発され制御信号を生成し、対応のソフトウエアを駆動することにより、画面上に「マザーディスクを入れてください」、「マザーディスクを取り出して、ブランクディスクを入れてください」、「コピー終了」...など簡易メッセージを表示し、親和性を有する方式、かつもっとも簡単な方式でもって、利用者を誘導指示して、ファイルコピー作業を迅速、かつ、スムーズに完遂させる。
【００２９】
以上に説明申し上げた通り、本考案は利用者によい親和性を有し、かつ、便利な操作環境を構成するCD-R/RWドライブの提供を目的としている。利用者がCD-R/RWドライブ上に取り付けられた機能キーを押すだけで、CD-R/RWドライブを駆動して、パーソナルコンピュータのファイルをCD-ROMにコピーするか、又はパーソナルコンピュータを通じて、もっとも簡単、かつ、親和性を有する方式でもって、利用者を誘導指示しながら、CD-ROMのコピー又はファイルコピー作業をスムーズに完遂させる。このように、本考案によると、常にパーソナルコンピュータ上の重要データをバックアップするか又はCD-ROMにコピーする利用者が、長い時間を費やして固有のコピープログラムの煩雑なコピー作業手順を学ぶ必要がなく、もっとも簡単な方式でもって、ファイルコピー又はCD-ROMコピー作業を正確に完遂でき、操作ミスによる無駄を大幅に省き、作業効率を有効に引き上げることができるので、一般消費者がよりコンピュータに親しむことができる。
【図面の簡単な説明】
【００３０】
【図１】本考案の実施例によるキー操作CD-R/RWドライブを示す模式図である。
【図２】本考案の実施例によるキー操作CD-R/RWドライブのハードウエア構成を示す模式図である。
【図３】本考案の実施例によるキー操作CD-R/RWドライブの作業フロー図である。
【図４】本考案の実施例によるキー操作CD-R/RWドライブのもう一つの作業フロー図である。
【符号の説明】
【００３１】
１  パーソナルコンピュータ、１１  中央演算装置、１２  メインメモリ、１３  インターフェス、１４  電源供給器、１５  コンピュータその他の周辺装置、１６  CD-R/RWドライブ、１７  ディスプレイ、１８  キーボード、１９  マウス、１６３  電子制御回路、１６４  CD-ROMトレー、１６５  パネル、１６６  CD-ROM出し入れスイッチ、１６１１  環境設定機能キー、１６１２  CD-R/RWドライブ機能キー、１６１３  CD-R/RWドライブ機能キー
【図１】
0003109058.tif 000003
【図２】
0003109058.tif 000004
【図３】
0003109058.tif 000005
【図４】
0003109058.tif 000006